(57)【要約】【課題】  記録媒体内にどのようなシーンが記録されているかが直ちにわかるような仕組みを提供するとともに、記録媒体内に記録されたシーンのインデックス画像の表示と、通常の再生画像の表示とを選択的に行えるように構成した画像再生装置を提供する。【解決手段】  通常再生時またはサーチ再生時に再生されたサーチ画像データを記憶する記憶手段（１−８）と、そこに記憶された複数枚分のサーチ画像データを用いてインデックス画像データを生成するインデックス画像生成手段（４−４）と、再生画像データに係る表示画像と、前記インデックス画像データに係る表示画像とを選択的にモニタへ表示させる選択手段（４−１３）とを備える。【選択図】  図４
2006352655.tif 000002
【特許請求の範囲】
【請求項１】
通常再生用の画像データとサーチ再生用のサーチ画像データとが記録された記録媒体から各データを再生する画像再生装置において、
前記記録媒体に記録されたデータを再生する再生手段と、
前記再生手段の通常再生時またはサーチ再生時に再生された前記サーチ画像データを記憶する記憶手段と、
前記記憶手段に記憶された複数枚分のサーチ画像データを用いてインデックス画像データを生成するインデックス画像生成手段と、
前記再生手段で再生された前記画像データに係る表示画像と、前記インデックス画像生成手段で生成された前記インデックス画像データに係る表示画像とを選択的にモニタへ表示させる選択手段とを備えたことを特徴とする画像再生装置。
【請求項２】
前記インデックス画像生成手段は、前記再生手段で再生されたタイムコードに従った規則に基づいて前記インデックス画像データを生成することを特徴とする請求項１に記載の画像再生装置。
【請求項３】
前記インデックス画像生成手段は、前記記憶手段に記憶されたサーチ画像データのうち、前記タイムコードの値に基づいて選択される一部のサーチ画像データを用いて前記インデックス画像データを生成することを特徴とする請求項２に記載の画像再生装置。
【請求項４】
前記インデックス画像生成手段は、前記タイムコードが示す値に応じた順番で前記サーチ画像データを配列して前記インデックス画像データを生成することを特徴とする請求項２又は３に記載の画像再生装置。
【請求項５】
前記インデックス画像生成手段は、プリント設定のための情報を付加したインデックス画像データを生成することを特徴とする請求項１に記載の画像再生装置。
【発明の詳細な説明】
【技術分野】
【０００１】
本発明は、記憶媒体、特に磁気テープの斜め方向に形成された情報トラックに記録されたサーチ画像データを再生して、インデックス画像を生成する画像再生装置に関する。
【背景技術】
【０００２】
ハイビジョン記録が可能なデジタルビデオカメラのように、近年、画像及び音声のデータをＭＰＥＧ（Ｍｏｖｉｎｇ  Ｐｉｃｔｕｒｅ  Ｅｘｐｅｒｔｓ  Ｇｒｏｕｐ）方式のような高度な圧縮方式を用いて記録／再生することが可能となってきている。その方式によれば、特に磁気テープにＭＰＥＧ方式を用いた高画質記録を行うデジタルＶＴＲ（Ｖｉｄｅｏ  Ｔａｐｅ  Ｒｅｃｏｒｄｅｒ）では、通常再生以外の変速再生（サーチ再生）を行うために、通常再生用とは別の領域にサーチ再生のための専用データを記録する方式が既に提案されている（例えば、特許文献１、２参照）。これらの方式では、通常速度の８倍もしくは２４倍といった高速サーチにて、前記サーチ専用データを読み出し表示することが可能である。
【０００３】
これらの提案によれば、８倍速再生用のサーチ画像データは、Ｉピクチャ、Ｐピクチャ、Ｂピクチャにて構成される１５フレームからなる１ＧＯＰ（Ｇｒｏｕｐ  Ｏｆ  Ｐｉｃｔｕｒｅ）に対して１枚の画像を、テープ上１５０トラック（１５フレーム分のテープ長）に渡って分散的に記録する。また、２４倍速再生用のサーチ画像データは、テープ上４ＧＯＰに対して１枚の画像を、テープ上６００トラック（６０フレーム＝４ＧＯＰ分のテープ長）に渡って分散的に記録する。トラック上の記録位置は、８倍もしくは２４倍の速度でテープを搬送した場合に、テープからのデータを読み込むための磁気ヘッドがトレースする軌跡に沿ったＳｙｎｃ  Ｂｌｏｃｋ位置となっている。
【０００４】
図１にサーチ画像データのトラック上の領域配置図を示す。８倍速のサーチ画像データは、１６トラックごとに１組のデータが書き込まれており、図に示したように正／逆８倍の速度でテープを搬送した場合に、（−）アジマスの磁気ヘッドがトラックパターンをトレースする軌跡（傾き）に沿った位置にデータ記録領域が設けられている。従って、８倍速モードでも全てのサーチ画像データを読み出すことが可能である。
【０００５】
次に図２のブロック図を用いて、このようなサーチ画像データを読み出して表示するためのサーチ画像データ再生回路について説明する。１−１はカセットテープ、１−２は磁気ヘッドから再生された再生データを増幅する再生アンプ、１−３は前記増幅された再生データをデジタル信号に変換するＡ／Ｄ変換器、１−４はＡ／Ｄ変換器（１−３）から出力されたデジタルデータが書き込まれるＳＤＲＡＭ、１−５はそのＳＤＲＡＭ上に設けられた読み出しデータ記憶領域である。１−６は読み出しデータのエラーを訂正するエラー訂正回路、１−７は前記テープから読み出されたデータの中から、サーチ画像データを取り出し、ＳＤＲＡＭ（１−４）上に設けられたサーチ画データ記憶領域（１−８）に、後述する画面形式（図３参照）に応じた構成で書き込むサーチ画像生成回路、１−９はサーチ画データ記憶領域（１−８）上に記憶されたサーチ画像データを取り出してアナログ信号に変換し、不図示のモニタに出力するＤ／Ａ変換器である。
【０００６】
高速サーチモードにおいては、磁気テープから読み出されたサーチ画像データを前述したような再生回路を用いて再生することで、８倍速であれば１５フレーム／８（時間）≒０．０６［秒］に１画面程度の更新速度で、連続的にサーチ画像を表示することが可能である。
【０００７】
このようなサーチ画像の画面構成についてはこれまでもいくつかの提案がなされているが、図３を用いて、輝度データの有効画素が水平×垂直で１４４０×１０８０、色差データの有効画素が水平×垂直で７２０×５４０となる再生画像を、サーチ画像データへと形式変換する場合について説明する。この例では、前述した分解能の画像データを、水平９０×垂直６８マクロブロック（ＭＢ）の画像データに変換する。この場合の１ＭＢの構成は、８画素×８画素の輝度ブロックを水平／垂直方向に２個づつ並べた輝度情報と、そのブロックに対応した８画素×８画素の色差情報（Ｃｒ及びＣｂ）を組み合わせたものとなっている。これらの情報を通常画像情報より圧縮して短いデータ長に変換することで、図１にて説明したような比較的狭いサーチ画像データ領域に記録することが可能となる（例えば、特許文献１参照。）。
【特許文献１】特開２００２−２０９１７９号公報
【特許文献２】特開２００２−３１４９４１号公報
【発明の開示】
【発明が解決しようとする課題】
【０００８】
以上説明したようなこれまでの提案においては、従来、サーチ画像データは単に磁気テープを高速で搬送しながら再生する高速サーチ再生時に用いられること以外には有効的な活用方法がなかった。また従来は、カセットテープ内にどのようなシーンが記録されているかを直ちに知るための有効的な手段はなかった。
【０００９】
本発明は上記の如き課題を鑑みてなされたものであり、前述したサーチ画像を有効利用することで、記録媒体内にどのようなシーンが記録されているかが直ちにわかるような仕組みを提供するとともに、記録媒体内に記録されたシーンのインデックス画像の表示と、通常の再生画像の表示とを選択的に行えるように構成した画像再生装置を提供することを目的とする。
【００１０】
また、前記インデックス画像を、通常再生時またはサーチ再生時に再生されたサーチ画像データを用いて生成することを更なる目的とする。
【課題を解決するための手段】
【００１１】
上記課題を解決するために、本発明の画像再生装置は、通常再生用の画像データとサーチ再生用のサーチ画像データとが記録された記録媒体から各データを再生する画像再生装置において、前記記録媒体に記録されたデータを再生する再生手段と、前記再生手段の通常再生時またはサーチ再生時に再生された前記サーチ画像データを記憶する記憶手段と、前記記憶手段に記憶された複数枚分のサーチ画像データを用いてインデックス画像データを生成するインデックス画像生成手段と、前記再生手段で再生された前記画像データに係る表示画像と、前記インデックス画像生成手段で生成された前記インデックス画像データに係る表示画像とを選択的にモニタへ表示させる選択手段とを備えたことを特徴とする。
【発明の効果】
【００１２】
本発明によれば、再生中であっても、ユーザーが任意にインデックス画像の表示を指示できるようになる。また、通常再生時またはサーチ再生時に再生されたサーチ画像データを用いてインデックス画像を生成可能としたことにより、効率的にインデックス画像を生成できるようになる。
【発明を実施するための最良の形態】
【００１３】
以下、図面を参照しながら本発明の好適な実施の形態を説明する。
【００１４】
（第１の実施形態）
本発明の画像再生装置の例として、デジタルビデオカメラで実施した場合の実施形態について説明する。以下、その再生時の動作について説明する。
【００１５】
図４は本実施形態におけるデジタルビデオカメラの電気的なブロック図であり、４−１はメカデッキ、１−１はメカデッキ（４−１）に装着され、図１のような形式でサーチ画像データが記録された記録媒体のカセットテープである。１−２は磁気ヘッドから再生された再生信号を増幅する再生アンプ、１−３は増幅された再生信号をデジタルデータ（再生データ）に変換するＡ／Ｄ変換器である。
【００１６】
１−４はＡ／Ｄ変換器（１−３）から出力された再生データが書き込まれるＳＤＲＡＭ、１−５はＳＤＲＡＭ（１−４）上に設けられた読み出しデータ記憶領域である。１−６は読み出しデータ記憶領域（１−５）内に記憶された再生データのエラーを訂正するエラー訂正回路である。４−２は読み出しデータ記憶領域（１−５）に記憶された再生データのタイムコードを読み出すためのタイムコード読み出し回路である。
【００１７】
１−７は読み出しデータ記憶領域（１−５）に記憶された再生データからサーチ画像データを抽出し、ＳＤＲＡＭ（１−４）上に確保されたサーチ画データ記憶領域（１−８）に図３のような画面形式に応じた構成で書き込むサーチ画像生成回路である。４−３はサーチ画データ記憶領域（１−８）に記憶されたサーチ画像データを読み出して所定のサイズに縮小処理して、ＳＤＲＡＭ（１−４）上に確保されたインデックス画像生成領域（４−４）の指定されたアドレスに、生成した縮小画像データを書き込む画像縮小回路である。４−４は縮小された複数個のサーチ画像データを集めてインデックス画像データとして生成、記憶するためのインデックス画像生成領域である。
【００１８】
４−１４は読み出しデータ記憶領域（１−５）に記憶された再生データを読み出して、ＭＰＥＧ復号処理等の所定の画像処理を行う画像処理回路、４−１５はサーチ画データ記憶領域（１−８）に記憶されたサーチ画データを読み出して、サイズ調整等の所定の画像処理を行う画像処理回路である。４−１３は通常再生、すなわち正方向一倍速で再生された再生データに係る再生画像を表示するか、サーチ再生されたサーチ画像データに係る再生画像を表示するか、生成されたインデックス画像データに係るインデックス画像を表示するかに応じて入力データを選択する切り替え手段である。通常再生画像を表示するときは画像処理回路（４−１４）からの入力を、サーチ画像を表示するときは画像処理回路（４−１５）からの入力を、インデックス画像を表示するときはインデックス画像生成領域（４−４）からの入力をそれぞれ選択して、Ｄ／Ａ変換器（１−９）へ出力する。Ｄ／Ａ変換器（１−９）でアナログ信号に変換された表示画像信号は、不図示のモニタへ出力されて、そこで表示される。
【００１９】
４−５はインデックス画像生成領域（４−４）に記憶されるインデックス画像データに関してＪＰＥＧ圧縮・伸張処理するＪＰＥＧコーデックである。ＪＰＥＧ圧縮されたインデックス画像データは、ＳＤＲＡＭ（１−４）上に設けられたインデックス画像ファイル記憶領域（４−６）に書き込まれる。さらに、インデックス画像ファイル記憶領域（４−６）から、不揮発性のフラッシュメモリー等を用いた記憶装置４−１２へ移して、ＪＰＥＧ圧縮されたインデックス画像ファイルを記録することもできる。
【００２０】
４−１０はマイクロコンピュータ（マイコン）であり、図４に示す各部の動作制御を行う。また、マイコン（４−１０）はユーザーからの操作指示をキー入力部（４−９）から受けつけて、ユーザー指示に基づいた制御を行う。ユーザーは、通常再生、サーチ再生或いはインデックス再生の指示をキー入力部（４−９）から行うことができる。また、通常再生中或いはサーチ再生中に、インデックス画像の表示をユーザーが指示した場合には、マイコン（４−１０）はインデックス画像の表示を行うように制御する。
【００２１】
次にインデックス画像を生成するときの動作について詳しく説明する。インデックス画像を生成するために必要なサーチ画像データは、通常再生中或いはインデックス画像生成モードでサーチ再生を実行することで再生される。
【００２２】
通常再生中は本来主画像データ（ＭＰＥＧデータ）が再生されるが、同時にサーチ画像データも再生される。再生されたサーチ画像データは、サーチ画データ記憶領域（１−８）に記憶され、さらに記憶された当該サーチ画像データを画像縮小回路（４−３）によって縮小処理して、その時のタイムコードに関連付けて、インデックス画像生成領域（４−４）に記憶しておく。通常再生時、マイコン（４−１０）はこのような制御を行う。
【００２３】
一方、インデックス画像生成モードでは、まず、メカデッキ（４−１）の制御を行いテープ（１−１）を高速で走行させながらサーチ再生を行って、再生されるデータを読み取る。また、タイムコード読み出し回路（４−２）により読み出されたデータのタイムコードをチェックし、タイムコードにしたがって次々と再生されてくるデータに含まれるサーチ画像データをインデックス画像として取り込むか否かを決める。タイムコードをみて、インデックス画像に追加すべきサーチ画像データであると判断した場合は、サーチ画データ記憶領域（１−８）に記憶された当該サーチ画像データを画像縮小回路（４−３）によって縮小処理して、インデックス画像生成領域（４−４）に書き込む。
【００２４】
また、インデックス画像生成領域（４−４）は、記憶したサーチ画像データを所定のサーチ画像枚数単位で管理する。図４ではサーチ画像を１２枚集めて、一枚のインデックス画像を生成するようにしてアドレス等を管理する例である。
【００２５】
このようにしてテープ（１−１）からすべて、或いは所望の範囲内のサーチ画像データを再生し終えたら、インデックス画像生成モードは終了となる。インデックス画像生成領域（４−４）に記憶されたインデックス画像データは表示に用いることができると共に、インデックス画像生成モードが終了した時点でＪＰＥＧコーデック（４−５）を起動し、インデックス画像生成領域（４−４）に記憶されたインデックス画像データのＪＰＥＧ圧縮処理を行い、更にヘッダ等の付随データを付加してインデックス画像ファイルを作成して、インデックス画像ファイル記憶領域（４−６）に記憶することができる。
【００２６】
以上のようなインデックス画像生成にかかわる制御は、マイコン（４−１０）が行う。この制御手順について、フローチャートで表わすと図５のようになる。
【００２７】
図５において、ユーザーによるキー操作によりインデックス画像生成が開始されると、マイコン（４−１０）は、まずステップＳ５−１にてテープ（１−１）をテープ上の記録終了位置まで早送りを行う。次に、ステップＳ５−２にて記録終了位置のタイムコードの値を読み込み、ステップＳ５−３にてそのタイムコード値をインデックス画面の分割数で割り算する。その値（Ｘ）が、インデックス画像としてサーチ画像データを取り込む際の取り込み間隔となる。
【００２８】
ステップＳ５−４にて逆方向サーチを開始する。ステップＳ５−５では逆方向サーチを行っていく過程で再生される取り込み対象のサーチ画像データに対して、通常再生時に既にインデックス画像生成領域（４−４）へ一時記憶させたサーチ画像データで有るかどうかを、再生されるタイムコードを元にチェックする。一時記憶させたサーチ画像データである場合は、ステップＳ５−７へ進み（サーチ画像データの取り込みは行わない）、一時記憶させたサーチ画像データでない場合は、ステップＳ５−６へ進んでインデックス画像への取り込み処理を行い、縮小したサーチ画像データをインデックス画像生成領域（４−４）へ随時追加する。
【００２９】
次に、タイムコード値を読み出しながら、当該タイムコードの値に応じて判断される不必要なサーチ画像データはスキップしながら進んで、ステップＳ５−７でタイムコードが前記（Ｘ）だけ巻き戻ったことをチェックする。そして、タイムコードが（Ｘ）だけ巻き戻った部分のサーチ画像データに対して、ステップＳ５−８では分割数の分だけサーチ画像データを取り込みしたかを判断し、取り込みしていない場合はステップＳ５−５の処理から繰り返し、取り込みしている場合はステップＳ５−９へ進む。
【００３０】
ステップＳ５−９にてサーチ再生動作を停止し、ステップＳ５−１０にてここまでの手順にて生成されたインデックス画像生成領域（４−４）内のインデックス画像データをＪＰＥＧ圧縮し、ＳＤＲＡＭ（１−４）上のインデックス画像ファイル記憶領域（４−６）にＪＰＥＧファイルを記憶する。以上で本フローが終了となる。
【００３１】
（第２の実施形態）
第１の実施形態では、インデックス画像を生成し、表示或いはＪＰＥＧファイルとして記憶可能とした構成までを説明した。本実施形態では、第１の実施形態で生成されたインデックス画像から個々の画像を印刷することを前提とした表示方法及び必要な制御について説明する。なお、本実施形態の画像再生装置の構成は、第１の実施形態と同じデジタルビデオカメラの構成に基づいて説明する。
【００３２】
図６に、インデックス画像生成領域（４−４）に記憶されたサーチ画像データと印刷設定情報を合成して、印刷時のプレビュー用としてインデックス画像を表示するときの例である。
【００３３】
この図において６−１はインデックス画像のプレビュー画面であり、個々のサーチ画像データに係る画像が表示される。インデックスの表示順は、取り込まれた画像のタイムコード順に行う。６−２は選択された画像を表わしており、カーソルが表示された状態である。６−３は確認ウィンドウで、ユーザーに向けた必要な情報提供や、画像の印刷中はその進行状況が表示される。６−４はサーチ画像表示ウィンドウで、単体で大きいサイズのサーチ画像及びタイムコード値を表示している。６−５は印刷設定確認画面で、レイアウト、用紙設定、印刷枚数等の情報が表示されている。６−６は画像の印刷実行・停止ボタンである。このボタンを操作することで画像の印刷を実行または停止することが可能である。
【００３４】
本実施形態におけるマイコン（４−１０）が行う制御手順について、図７のフローチャート図を用いて詳しく説明する。
【００３５】
図７において、ユーザーによるキー操作によりインデックス画像生成が開始されると、マイコン（４−１０）は、まずステップＳ７−１にてテープ（１−１）をテープ上の記録終了位置まで早送りを行って、記録終了位置のタイムコードの値を読み込み、ステップＳ７−２にてそのタイムコード値をインデックス画面の分割数で割り算する。その値（Ｘ）が、インデックス画像としてサーチ画像データを取り込む際の取り込み間隔となる。
【００３６】
ステップＳ７−３で表示可能なインデックス画像がインデックス画像生成領域（４−４）に記憶されているかどうかを、マイコン（４−１０）によって保存されているタイムコードを元に検索する。保存されている場合は、ステップＳ７−４でインデックス表示画面を生成するが、必要なサーチ画像データが一部でも保存されていない場合は、ステップＳ７−５として欠けているサーチ画像の位置情報であるタイムコードの値を保存してから、ステップＳ７−４でインデックス表示画面を生成する。
【００３７】
ステップＳ７−６では、ユーザーが図６の様な画面を見ながら所望の画像を選択する際に、選択された位置の画像が取り込まれている場合は、ステップＳ７−１１へ進み、ステップＳ７−１１で選択された画像データを不図示の外部プリンタへ送信して、印刷を行う。もし選択された位置が画像の取り込まれていないブランク部分である場合は、ステップＳ７−７へ進んで、ステップＳ７−５で保存されたタイムコード値に基づき、そのタイムコード値が記録されたテープ位置まで逆方向サーチを行う。
【００３８】
ステップＳ７−８でタイムコードが前記タイムコードの位置だけ巻き戻ったことをチェックする。そしてステップＳ７−９にて、前記タイムコードまで巻き戻った部分のサーチ画像データをインデックス画像として取り込む。その後ステップＳ７−１０でサーチ動作を停止し、ステップＳ７−１１で取り込んだ画像データを不図示の外部プリンタへ送信して、印刷を行う。以上で本フローが終了となる。
【００３９】
このように本実施形態によれば、作成したインデックス画像を用いた印刷処理も行えるようになる。
【図面の簡単な説明】
【００４０】
【図１】サーチ画像データのトラック上の配置図である。
【図２】従来のサーチ画像データ再生回路ブロック図である。
【図３】サーチ画像の画面構成例である。
【図４】本実施形態におけるデジタルビデオカメラのブロック図である。
【図５】インデックス画像の生成に関するフローチャートである。
【図６】インデックス画像の表示例である。
【図７】インデックス画像をプリント処理に用いたときの制御に関するフローチャートである。
【図１】
2006352655.tif 000003
【図２】
2006352655.tif 000004
【図３】
2006352655.tif 000005
【図４】
2006352655.tif 000006
【図５】
2006352655.tif 000007
【図６】
2006352655.tif 000008
【図７】
2006352655.tif 000009